(57)【要約】  指定の層序間隙に対して、複数の坑井に対する坑井データを受け取る。受け取ったデータに基づいて、複数の坑井のそれぞれに対する平均粒径が特定される。粒子ソースの１つの位置又は複数の位置が、層序間隙の平均の粒径に基づいて特定される。【特許請求の範囲】
【請求項１】
指定の層序間隙に対して、複数の坑井に対する坑井データを受け取るステップと；
前記受け取ったデータに基づいて、前記複数の坑井のそれぞれに対する平均粒径を特定するステップと；
前記層序間隙の前記平均粒径に基づいて、粒子ソースの位置を特定するステップと；を備える、
方法。
【請求項２】
各坑井に対する平均粒径を特定するステップは、前記指定の層序間隙における複数の粒径クラスのそれぞれの比率を特定するステップを備える、
請求項１に記載の方法。
【請求項３】
前記複数の粒径クラスのそれぞれの前記比率は、粒径クラスの粒子の総厚さを、前記指定の層序間隙の総厚さで除した値に基づいて特定される、
請求項２に記載の方法。
【請求項４】
前記粒子ソースの位置を特定するステップは、指数減衰方程式を用いるステップを備え、前記平均粒径は、前記粒子ソースからの距離が増加するにつれて指数関数的に減少する、
請求項１に記載の方法。
【請求項５】
前記層序間隙の前記平均粒径に基づいて、複数の粒子ソース位置を反復的に特定するステップを更に備え、前記複数の粒子ソース位置は、前記粒子ソースの前記位置を含む、
請求項１に記載の方法。
【請求項６】
前記複数の坑井は、少なくとも３０個の坑井を備える、
請求項１に記載の方法。
【請求項７】
将来の坑井のために、前記粒子ソースの前記位置に近い位置で坑井を掘削するステップを更に備える、
請求項１に記載の方法。
【請求項８】
プロセッサに所定の操作を実行させる命令を格納する非一時的なコンピュータ読取可能媒体であって、前記操作は：
指定の層序間隙に対して、複数の坑井に対する坑井データを受け取る操作と；
前記受け取ったデータに基づいて、前記複数の坑井のそれぞれに対する平均粒径を特定する操作と；
前記層序間隙の前記平均粒径に基づいて、粒子ソースの位置を特定する操作と；を備える、
非一時的なコンピュータ読取可能媒体。
【請求項９】
各坑井に対する平均粒径を特定する操作は、前記指定の層序間隙における複数の粒径クラスのそれぞれの比率を特定する操作を備える、
請求項８に記載のコンピュータ読取可能な媒体。
【請求項１０】
前記複数の粒径のそれぞれの前記比率は、その粒径クラスの粒子の総厚さを前記層序間隙の総厚さで除した値に基づいて特定される、
請求項９に記載のコンピュータ読取可能媒体。
【請求項１１】
前記粒子ソース位置を特定する操作は、指数関数的減衰の式を用いる操作を備え、前記平均粒径は、前記粒子ソースからの距離が増加するにつれて指数関数的に減少する、
請求項８に記載のコンピュータ読取可能媒体。
【請求項１２】
前記層序間隙の前記平均粒径に基づいて、複数の粒子ソース位置を反復的に特定する操作を更に備え、前記複数の粒子ソース位置は、前記粒子ソースの前記位置を含む、
請求項８に記載のコンピュータ読取可能媒体。
【請求項１３】
前記複数の坑井は、少なくとも３０個の坑井を備える、
請求項８に記載のコンピュータ読取可能媒体。
【請求項１４】
将来の坑井のために、前記粒子ソースの前記位置に近い位置で坑井を掘削する操作を更に備える、
請求項８に記載のコンピュータ読取可能媒体。
【請求項１５】
指定の層序間隙に対して、複数の坑井に対する坑井データを受け取るステップと；
前記受け取ったデータに基づいて、前記複数の坑井のそれぞれに対する平均粒径を特定するステップと；
前記層序間隙の前記平均粒径に基づいて、粒子ソースの位置を特定するステップであって、前記平均粒径は前記複数の坑井の１つと前記粒子ソースとの間の距離が増加するにつれて指数関数的に減少する、ステップと；
前記層序間隙の前記平均粒径に基づいて、複数の粒子ソース位置を反復的に特定するステップであって、前記複数の粒子ソース位置は前記粒子ソースの前記位置を含む、ステップと；
将来の坑井のために、前記粒子ソースの前記位置によって特定される最適な位置に、坑井を掘削するステップと；を備える、
方法。
【請求項１６】
各坑井に対する平均粒径を特定するステップは、前記指定の層序間隙における複数の粒径クラスのそれぞれの比率を特定するステップを備える、
請求項１５に記載の方法。
【請求項１７】
前記複数の坑井は、少なくとも３０個の坑井を備える、
請求項１５に記載の方法。
【請求項１８】
第２の層序間隙に対して、前記複数の坑井に関する第２の坑井データのセットを受け取るステップと；
前記受け取ったデータに基づいて、前記複数の坑井のそれぞれに対する第２の平均粒径を特定するステップと；
前記第２の層序間隙の前記平均粒径に基づいて、第２の複数の粒子ソース位置を反復的に特定するステップであって、前記複数の粒子ソース位置は、前記粒子ソースの前記位置を含む、ステップと；
将来の坑井のために、前記第２の粒子ソースの前記位置に近い位置に、坑井を掘削するステップと；を更に備える、
請求項１５に記載の方法。
【発明の詳細な説明】
【技術分野】
【０００１】
本願は、２０１７年８月７日に提出された米国特許出願第１５／６７０，６０５号、及び２０１７年７月２７日に提出されたギリシャ特許出願第２０１７０１００３５４号の優先権を主張し、その内容全体を参照により本明細書に組み込む。
【０００２】
本開示は、堆積学（ｓｅｄｉｍｅｎｔｏｌｏｇｙ）に関する。
【背景技術】
【０００３】
堆積学では、堆積物の様々な層相及び種類の分布及び広がりが研究される。堆積学における学識情報は、地層のマッピングに用いることができる。
【発明の概要】
【０００４】
本開示では、堆積物ソース（ｓｏｕｒｃｅ、源）の位置の特定に関する技術について述べる。
【０００５】
本開示において示される主題の例示的な実施は、以下の特徴を有する方法である。すなわち、指定の層序間隙に対して、複数の坑井に対する坑井データを受け取る。前記受け取ったデータに基づいて、前記複数の坑井のそれぞれに対する平均粒径を特定する。前記層序間隙の前記平均粒径に基づいて、粒子ソースの位置を特定する。
【０００６】
単独又は組み合わせられた実施の例と組み合わせることができる方法の例示の態様には、以下が含まれる。すなわち、各坑井に対する平均粒径を特定することは、前記指定の層序間隙における複数の粒径クラスのそれぞれの比率を特定することを含む。
【０００７】
単独又は組み合わせられた実施の例と組み合わせることができる方法の例示の態様には、以下が含まれる。すなわち、前記複数の粒径クラスのそれぞれの前記比率は、粒径クラスの粒子の総厚さを、前記指定の層序間隙の総厚さで除した値に基づいて特定される。
【０００８】
単独又は組み合わせられた実施の例と組み合わせることができる方法の例示の態様には、以下が含まれる。すなわち、前記粒子ソースの位置を特定することは、指数減衰方程式を用いることを含む。前記平均粒径は、前記粒子ソースからの距離が増加するにつれて指数関数的に減少する。
【０００９】
単独又は組み合わせられた実施の例と組み合わせることができる方法の例示の態様には、以下が含まれる。すなわち、前記層序間隙の前記平均粒径に基づいて、複数の粒子ソース位置を反復的に特定する。前記複数の粒子ソース位置は、前記粒子ソースの前記位置を含む。
【００１０】
単独又は組み合わせられた実施の例と組み合わせることができる方法の例示の態様には、以下が含まれる。すなわち、前記複数の坑井は、少なくとも３０個の坑井を含む。
【００１１】
単独又は組み合わせられた実施の例と組み合わせることができる方法の例示の態様には、以下が含まれる。すなわち、将来の坑井のために、前記粒子ソースの前記位置に近い位置で坑井を掘削する。
【００１２】
本開示において示される主題の例示的な実施は、プロセッサに以下の特徴を備えた所定の操作を実行させる命令を格納する非一時的なコンピュータ読取可能媒体である。すなわち、指定の層序間隙に対して、複数の坑井に対する坑井データを受け取る。前記受け取ったデータに基づいて、前記複数の坑井のそれぞれに対する平均粒径を特定する。前記層序間隙の前記平均粒径に基づいて、粒子ソースの位置を特定する。
【００１３】
単独又は組み合わせられた実施の例と組み合わせることができる非一時的なコンピュータ読取可能媒体の例示の態様には、以下が含まれる。すなわち、各坑井に対する平均粒径を特定することは、前記指定の層序間隙における複数の粒径クラスのそれぞれの比率を特定することを含む。
【００１４】
単独又は組み合わせられた実施の例と組み合わせることができる非一時的なコンピュータ読取可能媒体の例示の態様には、以下が含まれる。すなわち、前記複数の粒径のそれぞれの前記比率は、その粒径クラスの粒子の総厚さを前記層序間隙の総厚さで除した値に基づいて特定される。
【００１５】
単独又は組み合わせられた実施の例と組み合わせることができる非一時的なコンピュータ読取可能媒体の例示の態様には、以下が含まれる。すなわち、前記粒子ソース位置を特定することは、指数関数的減衰の式を用いることを含む。前記平均粒径は、前記粒子ソースからの距離が増加するにつれて指数関数的に減少する。
【００１６】
単独又は組み合わせられた実施の例と組み合わせることができる非一時的なコンピュータ読取可能媒体の例示の態様には、以下が含まれる。すなわち、前記層序間隙の前記平均粒径に基づいて、複数の粒子ソース位置を反復的に特定することを含む。前記複数の粒子ソース位置は、前記粒子ソースの前記位置を含む。
【００１７】
単独又は組み合わせられた実施の例と組み合わせることができる非一時的なコンピュータ読取可能媒体の例示の態様には、以下が含まれる。すなわち、前記複数の坑井は、少なくとも３０個の坑井を含む。
【００１８】
単独又は組み合わせられた実施の例と組み合わせることができる非一時的なコンピュータ読取可能媒体の例示の態様には、以下が含まれる。すなわち、将来の坑井のために、前記粒子ソースの前記位置に近い位置で坑井を掘削する。
【００１９】
本開示において示される主題の例示的な実施は、以下の特徴を有する第２の方法である。すなわち、指定の層序間隙に対して、複数の坑井に対する坑井データを受け取る。前記受け取ったデータに基づいて、前記複数の坑井のそれぞれに対する平均粒径を特定する。前記層序間隙の前記平均粒径に基づいて、粒子ソースの位置を特定する。前記平均粒径は前記複数の坑井の１つと前記粒子ソースとの間の距離が増加するにつれて指数関数的に減少する。前記層序間隙の前記平均粒径に基づいて、複数の粒子ソース位置を反復的に特定する。前記複数の粒子ソース位置は前記粒子ソースの前記位置を含む。将来の坑井のために、前記粒子ソースの前記位置によって特定される最適な位置に、坑井を掘削する。
【００２０】
単独又は組み合わせられた実施の例と組み合わせることができる第２の方法の例示の態様には、以下が含まれる。すなわち、各坑井に対する平均粒径を特定することは、前記指定の層序間隙における複数の粒径クラスのそれぞれの比率を特定することを含む。
【００２１】
単独又は組み合わせられた実施の例と組み合わせることができる第２の方法の例示の態様には、以下が含まれる。すなわち、前記複数の坑井は、少なくとも３０個の坑井を含む。
【００２２】
単独又は組み合わせられた実施の例と組み合わせることができる第２の方法の例示の態様には、以下が含まれる。すなわち、第２の層序間隙に対して、前記複数の坑井に関する第２の坑井データのセットを受け取る。前記受け取ったデータに基づいて、前記複数の坑井のそれぞれに対する第２の平均粒径を特定する。前記第２の層序間隙の前記平均粒径に基づいて、第２の複数の粒子ソース位置を反復的に特定する。前記複数の粒子ソース位置は、前記粒子ソースの前記位置を含む。将来の坑井のために、前記第２の粒子ソースの前記位置に近い位置に、坑井を掘削する。
【００２３】
本開示で述べる主題の特定の実施は、それぞれ、以下の利点の１つ以上を実現するように実施することができる。堆積物ソースの位置を知ることは、炭化水素貯留層の層相の特定に役立てることができる。さらに、主題の態様により、貯留層のモデリングは改善され、堆積システムを、より深く把握することが可能になる。
【００２４】
本開示に記載された主題における一又は複数の実施の詳細は、添付図面及び引き続く明細書に説明される。本主題の他の特徴、態様及び利点は、明細書、図面及び特許請求の範囲から明らかになろう。
【図面の簡単な説明】
【００２５】
【図１】図１は、粒径画分（ｇｒａｉｎ−ｓｉｚｅ  ｆｒａｃｔｉｏｎ）の実際の分布を示す図である。
【００２６】
【図２】図２Ａ及び図２Ｂは、堆積盆（ｂａｓｉｎ）内の坑井（ｗｅｌｌｓ、油井）の位置を示す生産堆積盆のグラフである。
【００２７】
【図３】図３は、平均粒径分布に対するソースからの距離のプロット図である。
【００２８】
【図４】図４は、特定されたソースの位置とともに示す、坑井のプロット図である。
【００２９】
【図５】図５Ａ及び図５Ｂは、堆積盆内の坑井の位置及び堆積物ソースを示す生産堆積盆のグラフである。
【００３０】
【図６】図６は、特定されたソースの位置とともに示す、坑井のプロット図である。
【００３１】
【図７】図７は、適合度（ｇｏｏｄｎｅｓｓ  ｏｆ  ｆｉｔ）に対する特定されたソースの数のプロット図である。
【００３２】
【図８】図８は、特定されたソースの位置とともに示す、坑井のプロット図である。
【００３３】
【図９】図９は、堆積物ソースの位置を特定するための方法の例を示すフローチャートである。
【００３４】
【図１０】図１０は、本開示の各態様を実行するために用いることが可能な汎用コンピュータを示すブロック図である。
【００３５】
種々の図面における類似の参照番号及び記号は、同様の要素を指す。
【発明を実施するための形態】
【００３６】
本開示は、地層中の珪砕屑性堆積物ソースを発見する方法について述べる。本方法は、堆積盆全体又は対象地域にわたる、対象である特定の層序間隙から坑井データを取得することと、坑井間の堆積物の傾向に基づいて１つ又は複数のソースの位置の推定を提供することとを含む。掘り屑（ｃｕｔｔｉｎｇｓ、カッティングス）、コアサンプル、又は指定の地質間隙内の他の何れのデータからも、坑井データを取得できる。粒径分布は、最初に、坑井ごとに、指定の層序間隙において特定され、平均粒径は、指定の層序間隙において坑井ごとに特定される。ソースの位置は、このデータに基づいて堆積盆レベルで特定できる。
【００３７】
図１は、地層１００内における、種類及び大きさの異なる粒子の典型的な進行を示すものである。図示の地層１００は、大きさ、形状、及び種類が様々な岩石粒（本開示で単に「粒子」という）を含有する堆積物流１０２を含む。異なる種類の粒子は、砂や細粒などの異なる層相に分類できる。堆積物流１０２は、集水域１０４から始まって、砂利堆積扇状地１０６、沖積平野１０８、沿岸フェンス部（ｃｏｓｔａｌ  ｆｅｎｃｅ）１１０、及び、棚斜面の割れ目（ｓｈｅｌｆ−ｓｌｏｐｅ  ｂｒｅａｋ）１１２を通って流動し、深い海盆（ｍａｒｉｎｅ  ｂａｓｉｎ）１１４に行き着く。堆積物流１０２はこれら様々な区域を通過するにつれて、大きさの異なる粒子は、堆積物流１０２から脱落する可能性がある。通例では、大きくて重く粗い粒子は、砂などの小さくて軽い細かい粒子よりも早く、流れ１０２から脱落するのが普通である。断面１１６は、流れ１０２がそのソースから離れるように流れ続けた場合の、砂利１１８と砂１２０との割合の例を示す。例えば、砂利堆積扇状地１０６は、砂利の大きさの粒子を、深い海盆１１４よりも多く含み得る。場合によっては、平均粒径は、指数関数的減衰の式に従って減少し得る。つまり、平均粒径は、流れ１０２がその粒子ソースから離れるにつれて、指数関数的に減少し得る。これらの例では、本開示で後述するように、この指数関数的減衰を使って粒子ソースの位置を特定することができる。
【００３８】
図２Ａは例としての生産堆積盆２０２を示し、直交座標を持つグリッド上に、複数の坑井２０４がプロットされている。直交グリッドの分解能は、望ましい計算速度と計算精度に応じて、細かくすることも粗くすることもできる。直交グリッドは主に距離の特定に用いられ、各グリッド点は潜在的なソースの位置であり、初期の、又は、ソースにおける、想定される平均粒径を割り当てることができる。初期の、又は、ソースにおける、粒径を割り当てる工程についての更なる詳細は、本開示内で後により詳細に述べる。凡例２０８を参照すると、坑井はアスタリスクで示され、グリッド点２０６は丸印で示され、堆積フェアウェイ（堆積盆２０２の縁）は実線で示され、第１の距離（Ｄ１）は直線で示される。生産堆積盆２０２は、複数の坑井２０４、例えば少なくとも３０か所の坑井を含むことができる。複数の坑井２０４のうちの１つ以上の坑井から坑井サンプルを採取し、分析し、各坑井の粒径分布を特定できる。坑井サンプルとして、地層又は層序層を表すのに十分な大きさの、岩石片、コアサンプル、又は、他の任意の石油物理ログデータのサンプルが含まれる。念のためであるが、先に述べた工程は、各坑井内の単一層序層のためのものである。
【００３９】
図２Ｂは、各グリッド点２０６と各坑井２０４との間の距離の実際の計算方法を示す。距離は、例えばピタゴラスの定理を用いるなど、様々な方法で計算できる。さらに、指定の層序間隙に対する各グリッド位置に初期粒径を割り当てることができる。この初期粒径（ＧＳ０）はデータに依存する可能性があり、データセットで観察される最大平均粒径よりも大きい。この最大平均サイズは、予想される粒子の種類に依存する場合がある。例えば、砂の最大粒径が２ミリメートルであるのに対し、ソースの礫岩質系（ｃｏｎｇｌｏｍｅｒａｔｉｃ  ｓｙｓｔｅｍ）の平均粒径は４０ミリメートルとすることができる。データセットの収集及び展開については、以下により詳細に説明する。データセットには、坑井位置及び各グリッド点に対するＧＳ０が含まれることになる。坑井の場合、ＧＳ０は経験的に特定されるのに対し、各グリッド点のＧＳ０は推定することができる。坑井２０４で観察される粒子の系及び種類に従ってＧＳ０を変えることができる。例えば、礫岩が支配的な環境では平均４０ｍｍのＧＳ０を、砂質系では２ｍｍのＧＳ０を用いることができる。
【００４０】
岩相（ｌｉｔｈｏｌｏｇｉｃａｌ）情報を含むサンプルを、各坑井２０４から採取し、各坑井に対する平均粒径を特定することにより、データセットを構築できる。サンプルには、各坑井の指定の層序間隙を表すのに十分なサンプルサイズを含む岩相を推定できる、岩石片、コアサンプル、又は、測定された若しくは導き出された他の任意の岩石物理ログデータのサンプル、を含むことができる。下式を用いて、指定の層序間隙における、各坑井の平均粒径（粒子サイズ）を特定できる。
【数１】
2020529017.tif 000002
ここで、＾（ハット付き）ＧＳは、坑井の平均粒径であり、＾ｇｓＣ、＾ｇｓＳ、＾ｇｓｖｆｓ、＾ｇｓＳｉｌｔ、＾ｇｓＦは、坑井内における指定間隙の指定岩相種類、すなわち、礫岩（ｃｏｎｇｌｏｍｅｒａｔｅ）、砂、非常に細かい砂岩、シルト（ｓｉｌｔ）、及び他の（粘土岩を含む）細粒の指定平均粒径であり、％Ｃｏｎｇｌｏｍｅｒａｔｅ（礫岩）は、坑井内の指定間隙に対する礫岩の割合であり、％Ｓａｎｄ（砂）、％ｖｆＳａｎｄ（非常に細かい砂）、％Ｓｉｌｔ（シルト）、％Ｆｉｎｅｓ（細粒）は、坑井内の指定間隙に対する各岩相種類の割合である。各粒径の比率は、岩相種類ごとの粒径の粒子の合計数（厚さ）を粒子の合計数（地層の厚さ）で除した値に基づいて特定できる。
【００４１】
図３は、指定層序間隙における、各坑井からのサンプルに基づいて構築されたデータセットに対して回帰分析を適用した結果の例を示している。先に述べたように、より大きな粒子は、粒子ソースから坑井へ進むにつれて粒子の流れ１０２から脱落する可能性がある。場合によっては、流れ１０２が粒子ソースから遠くなるにつれて、流れ１０２の平均粒径は指数関数的に減少する。これらの例では、下式に基づいて平均粒径が変化する可能性がある。
【数２】
2020529017.tif 000003
ここで、「Ｄｘ」は、堆積物ソースからの指定距離「ｘ」における平均粒径であり、「Ｄ０」は、堆積物ソースにおける平均粒径であり、「ａ」は、指数曲線をデータに適合（フィット）させることによって特定される地層に固有の係数である。坑井サンプルからのデータセットと式２を用いて回帰分析を行うことで潜在的なソースの位置を特定できる。図３に、その結果をプロットする。
【００４２】
図４に示すように、図３と同様のプロットから最適なフィット曲線（ｂｅｓｔ−ｆｉｔ  ｃｕｒｖｅ）が特定されると、第１の堆積物ソース位置４０２は、坑井２０４と同じグリッドの直交座標上にプロットすることができる。式２を用いて、各グリッド点からデータを適合させ、フィッティング（適合）係数Ｄ０及びａを見つけてみて、Ｒ２値も計算する。Ｒ２は適合度を特定する。最も高い適合度すなわち最も高いＲ２を有する位置が第１のソースと見なされる。その後、この第１のソースを用いて追加のソースを特定し、それぞれの追加ソースからの距離を新しい適合ごとに考慮して、第１のソースと潜在的な第２のソースとを結合する次の最適な位置を見つける。図５Ａは、図２Ａと同じチャートにプロットされた第１の堆積物ソース位置４０２を示す。第１の堆積物ソース位置４０２が特定された後、第２のソースを特定するために第２のグリッド点５０２を用いて工程を繰り返すことができる。すなわち、同じ層序間隙に対して、同じ坑井データのセットを分析して、第２のグリッド点５０２を用いて第２のソースの位置を特定できる。この例を図５Ｂに示す。第１のソースと潜在的な第２のソースとの間の最小距離は、それぞれ個々の坑井及び粒径に対する分析に用いられ、図３に見られる曲線と同様の新たな回帰曲線セットを導く。最終的には、グリッド上のすべての点が相互に試験及びチェックされ、どの点がデータに最適なのかが特定される。データセットと式２による同じ回帰分析を用いて、第２のソースの位置を特定できる。図６は、第１のソースの位置４０２と坑井２０４とともにプロットされた第２のソースの位置６０２を示す。
【００４３】
工程を複数回繰り返すことにより、特定されたソースと、各坑井ごとのグリッド位置との間の最小距離を用いて、複数のソースの位置を特定できる。図７は、特定されたソースの数に対する適合度の尺度（Ｒ２）を示すプロットである。この例では、最初の６つのソースがＲ２値の最大の改善を示す。Ｒ２値は、回帰がデータにどの程度適合するかを示す尺度である。Ｒ２値が１に近いほど、回帰はデータをより良好に表す。データセットと適合式（ｆｉｔ  ｅｑｕａｔｉｏｎ）とに関して、Ｒ２値は下式を用いて計算される。
【数３】
2020529017.tif 000004
ここで、上線付きｙは、ｙデータポイントの平均（例えば、坑井からの＾ＧＳ）であり、ｙｉは、データの個々のポイント（例えば、ソースから「ｘ」の距離における＾ＧＳ）であり、ｆｉは、点ｙｉと同じｘの距離における適合式（Ｄｘなど）の個々のポイントである。図８にプロットされているこれらのソースは、一次ソースと見なすことができる。残りのソースは、二次ソース８０４と見なすことができる。前述のソースはすべて、単一の層序間隙で特定されたものである。
【００４４】
複数の坑井に対する坑井データの第２のセットを受け取った後、第２の層序間隙に対して同一工程を用いることができる。第２の平均粒径は、受け取ったデータの第２のセットに基づいて、各坑井内の第２の層序間隙に対して特定できる。第２の複数の粒子ソース位置は、第２の層序間隙の平均粒径に基づいて繰り返し特定できる。
【００４５】
場合によっては、一次及び二次の堆積物ソースの一つを用いて、地層内の炭化水素の位置を特定できる。坑井は、将来の生産のための坑井又は探査のための坑井のために、一次の堆積物ソースのどれか１つに近い位置で掘削できる。実施によっては、より大きな平均粒径は、より高品質の炭化水素貯留層（ｒｅｓｅｒｖｏｉｒ）と相関する可能性がある。実施によっては、堆積物ソースは炭化水素ソースではない。
【００４６】
図９は、生産堆積盆にある堆積物ソースを特定するための方法９００のフローチャートである。ステップ９０２では、指定の層序間隙に対して、複数の坑井に対する坑井データを受け取る。坑井データには指定の層序間隙における坑井内の粒径分布が含まれる。ステップ９０４では、受け取ったデータに基づいて、複数の坑井のそれぞれに対する平均粒径が特定される。ステップ９０６では、粒子ソースの位置が、層序間隙の平均粒径に基づいて特定される。ステップ９０８では、複数の粒子ソース位置が、層序間隙の平均粒径に基づいて繰り返し特定される。ステップ９１０では、将来の坑井のために、粒子ソースの位置で坑井が掘削される。場合によっては、同じ坑井を利用して、同じ堆積盆内で第２の層序間隙又は地層において同様の方法を用いることができる。その方法は、任意の数の層序間隙又は地層に用いることができる。
【００４７】
本明細書で記述された主題及び機能的な操作の実施は、デジタル電子回路、有形に具体化されたコンピュータのソフトウェア又はファームウェア、コンピュータハードウェアに、又はそれらの一又は複数の組み合わせで実施でき、これらデジタル電子回路、ソフトウェア、ファームウェア、及びコンピュータハードウェアは、本明細書に開示される構造及びそれらの構造的な同等物を含む。本明細書で記述された主題に係る実施は、１又は複数のコンピュータプログラム、つまり、コンピュータプログラム命令の一又は複数のモジュールとして実施されることができ、コンピュータプログラム命令は、データ処理装置により実施されるシステムによる実行のために、有形の非一時的なコンピュータ読取可能なコンピュータ記憶媒体上にエンコードされ、又はコンピュータ若しくはコンピュータにより実施されるシステムの動作を制御する。代替的に又は追加的に、プログラム命令は、人工的に生成された伝播信号、例えば、マシン生成の電気的、光学的、又は電磁気的な信号にエンコードされ、この信号は、データ処理装置による実行のために受振器装置への送信用の情報をエンコードするために生成される。コンピュータ記憶媒体は、コンピュータ読取可能な記憶デバイス、コンピュータ読取可能な記憶基板、ランダム若しくはシリアルアクセスメモリアレイ若しくはデバイス、又は、それらの１つ以上の組み合わせであっても、それらに含まれてもよい。さらに、コンピュータ記憶媒体は伝搬信号ではないが、コンピュータ記憶媒体は、人工的に生成された伝搬信号内に符号化されたコンピュータプログラム命令のソース又は行き先とすることができる。コンピュータ記憶媒体は、１つ以上の個別の物理的要素又は媒体（複数の、ＣＤ、ディスク他の記憶デバイスなど）であっても、それらに含まれてもよい。
【００４８】
本開示で述べる操作は、１つ又は複数のコンピュータ読取可能な記憶デバイスに格納されたデータ又は他のソースから受信したデータに対して、データ処理装置によって実行される操作として実装できる。
【００４９】
用語「データ処理装置」は、データを処理するためのあらゆる種類の装置、デバイス、及びマシンを含み、例えば、プログラマブルプロセッサ、コンピュータ、チップ上のシステム、又は、上記のうちの複数若しくは組み合わせが含まれる。装置としては、ＦＰＧＡ（フィールドプログラマブルゲートアレイ）及びＡＳＩＣ（特定用途向け集積回路）などの専用ロジック回路が含まれる。装置としては、ハードウェアに加えて、プロセッサファームウェア、プロトコルスタック、データベース管理システム、オペレーティングシステム、クロスプラットフォームランタイム環境、仮想マシン、又は、それらの１つ以上の組み合わせを構成するコードなど、該当のコンピュータプログラムの実行環境を作成するコードも含めることができる。装置及び実行環境は、Ｗｅｂサービス、分散コンピューティング、グリッドコンピューティングインフラストラクチャなど、様々な異なるコンピューティングモデルインフラストラクチャを実現できる。
【００５０】
コンピュータプログラム（プログラム、ソフトウェア、ソフトウェアアプリケーション、スクリプト、又はコードとしても知られる）は、コンパイル言語若しくはインタープリタ言語を含むプログラミング言語、又は宣言型若しくは手続き型の言語の形式で記載でき、またコンピュータプログラムは、コンピューティング環境で使用するための任意の形式で展開でき、スタンドアロンプログラム、モジュール、コンポーネント、サブルーチン、又は他の適切なユニットとして含む。コンピュータプログラムは、ファイルシステム内のファイルに対応できるが、必ずしも対応する必要はない。プログラムは、他のプログラム又はデータを保持するファイルの一部（例えばマークアップ言語ドキュメントに格納された一又は複数のスクリプト）に保存でき、該他のプログラムは、問題のプログラム専用の単一ファイル内に、或いは複数の連携したファイル（例えば一又は複数のモジュール、サブプログラム、又はコードの一部）に格納できる。コンピュータプログラムは、一又は複数のコンピュータ上に展開でき、該コンピュータは、一のサイトに位置し、又は複数のサイトに分散されて配置され、これらは通信ネットワークによって相互接続される。
【００５１】
本明細書で説示されたプロセス及び論理フローは、一又は複数のプログラム可能なプロセッサによって実行でき、該コンピュータは、入力データを操作して出力データを生成することによって動作を実行する一又は複数のコンピュータプログラムを実行する。このプロセス及び論理フロー、及び装置は、特定用途のロジック回路、例えばＦＰＧＡ（ｆｉｅｌｄ  ｐｒｏｇｒａｍｍａｂｌｅ  ｇａｔｅ  ａｒｒａｙ）、又はＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）として実行できる。
【００５２】
コンピュータプログラムの実行に適したプロセッサは、汎用又は特定用途のマイクロプロセッサ、これらの両方、及び任意の種類のデジタルコンピュータの任意の１つ又は複数のプロセッサを含む。一般的には、プロセッサは、読み取り専用メモリ（ＲＯＭ）又はランダムアクセスメモリ（ＲＡＭ）あるいはその両方から命令及びデータを受け取る。コンピュータの重要な要素は、命令に従って動作を実行するためのプロセッサ、及び命令及びデータを保存するための１つ又は複数のメモリデバイスである。一般に、コンピュータは、データを保存するための１つ又は複数の大容量記憶装置を含むか、或いはこれらからデータを受信し、転送し、又はこの両方を行うように動作可能に結合される。しかし、コンピュータは、そのようなデバイスを持つ必要はない。さらには、コンピュータは、携帯電話、携帯情報端末（ＰＤＡ）、モバイルオーディオ若しくはビデオプレーヤー、ゲームコンソール、全地球測位システム（ＧＰＳ）受信機、又はポータブルストレージデバイス、例えばユニバーサルシリアルバス（ＵＳＢ）、フラッシュドライブ等の別のデバイスに組み込むことができる。
【００５３】
ユーザとのインタラクションを提供するために、本明細書で記載された主題の実施は、ユーザに情報を表示するためのディスプレイデバイス、例えばＣＲＴ（陰極線管）、ＬＣＤ（液晶ディスプレイ）、ＬＥＤ（発光ダイオード）又はプラズマモニターと、ユーザがコンピュータに入力を提供するキーボード及びポインティングデバイス、例えばマウス、トラックボールを有するコンピュータ上で実施できる。他の種類のデバイスが、ユーザとのインタラクションを提供するために使用できる。同様に、例えば、ユーザに提供されるフィードバックは、例えば、視覚フィードバック、聴覚フィードバック、触覚フィードバック、及びあらゆる形態の感覚のフィードバックであり得る。ユーザからの入力は、音響入力、音声入力、触覚入力を包含する、あらゆる形式で受信できる。さらに、コンピュータは、ユーザによって使用されるクライアントコンピューティングデバイスからのドキュメントを受信し及び該ドキュメントをデバイスに送信することによって（例えば、Ｗｅｂブラウザから受けたリクエストに応答してユーザのクライアントデバイス上においてＷｅｂブラウザにＷｅｂページを送ることにより）ユーザとインタラクションできる。
【００５４】
本明細書で記述された主題の実施は、バックエンドコンポーネントを例えばデータサーバとして含むコンピューティングシステム、ミドルウェアコンポーネントを、例えばアプリケーションサーバとして含むコンピューティングシステム、フロントエンドコンポーネントを、例えばクライアントコンピュータとして含むコンピューティングシステム、及び、一又は複数のこのようなバックエンド、ミドルウェア、又はフロントエンドコンポーネントの任意の組み合わせを含むコンピューティングシステムにおいて実施でき、クライアントコンピュータは、ユーザが本明細書においで記述される主題の実施とインタラクションできるグラフィカルユーザインタフェース又はＷｅｂブラウザを有する。システムのコンポーネントは、有線又は無線のデジタルデータ通信（又はデータ通信の組み合わせ）、例えば通信ネットワークの任意の形式又は媒体によって相互接続されることができる。通信ネットワークの例示は、ローカルエリアネットワーク（ＬＡＮ）、広域ネットワーク（ＷＡＮ）、インターネットワーク（インターネット等）、及びピアツーピアネットワーク（アドホックピアツーピアネットワーク等）が含まれる。
【００５５】
コンピューティングシステムは、クライアント及びサーバを含むことができる。クライアント及びサーバは、一般的には、互いに離れており、また典型的には、通信ネットワークを介してインタラクションする。クライアント及びサーバの関係は、それぞれのコンピュータ上で動作すると共に互にクライアント・サーバ関係にあるコンピュータプログラムによって生じる。実施によっては、（クライアントデバイスと相互に作用するユーザにデータを表示したり、ユーザからのユーザ入力を受信したりする目的のため等）サーバは、データ（ＨＴＭＬページ等）をクライアントデバイスへ送信する。クライアントデバイスで生成されたデータ（ユーザインタラクションの結果等）は、サーバでクライアントデバイスから受信できる。
【００５６】
このようなタイプのシステムの一例が図１０に示され、この図１０は、本開示で述べる主題の様々な態様の方法の実行に適するプログラマブルコンピュータ１００２のブロック図を示す。コンピュータ１００２は、プロセッサ１００５と、ランダムアクセスメモリ（ＲＡＭ）、プログラムメモリ（例えば、フラッシュＲＯＭなどの書き込み可能な読取専用メモリ（ＲＯＭ））又は他のコンピュータ読取可能なメモリを含むことができるメモリ１００６と、ハードディスクドライブ、ソリッドステートドライブ、又は他の形式の記憶媒体などの記憶デバイス１０１２とが含まれる。コンピュータ１００２は、例えば、ＲＯＭに事前にプログラムすることができる、又は別のソース（例えば、フロッピーディスク、ＣＤ−ＲＯＭ、又は別のコンピュータ）からプログラムをロードすることによりプログラム（及び再プログラム）することができる。コンピュータ１００２の構成要素は、通信ネットワーク１０３０などのデジタルデータ通信の任意の形態又は媒体により、インタフェース１００４を介して相互接続できる。通信ネットワークの例には、ローカルエリアネットワーク（「ＬＡＮ」）及びワイドエリアネットワーク（「ＷＡＮ」）、インターネットワーク（インターネットなど）、及びピアツーピアネットワーク（アドホックピアツーピアネットワークなど）が含まれる。距離データ型１０１６や平均粒径データ型１０１８などのデータ型は、コンピュータ１００２に格納することも、データベース１００８にリモートで格納することもできる。
【００５７】
本明細書は多くの特定の実施の詳細を含む一方で、これらは、任意の発明の範囲又は請求される得る範囲の制限として解釈されるべきではなく、むしろ、特定の発明の特定の実施固有の特徴の説明として解釈されるべきである。個別の実施の観点で本明細書において説明された機能は、組み合わせて又は単一の実施で、実現できる。逆に、単一の実施の観点で既述された様々な特徴は、複数の実施で、個別に、又は任意のサブコンビネーションで実施されることもできる。さらには、既述の特徴は特定の組み合わせで動作するものとして説示され、最初はそのようなものとして請求されていたとしても、一又は複数の特徴は、請求された組み合わせから場合によっては削除され、またサブコンビネーション又はサブコンビネーションの変形であり得る。
【００５８】
同様に、操作は特定の順序で図面に描かれている一方で、これは、望ましい結果を達成するために、示された特定の順序で又は順番でそのような操作が特定の順序で、又は順次に実行されることことを要求するものとして理解されるべきではない。ある状況では、マルチタスク又は並列処理を行うことが有利であり得る。さらに、既述の実施における様々なシステムモジュール及びコンポーネントの分離又は統合が、全ての実施においてそのような分離又は統合を必要とするものとして理解されるべきではない。また、記載されたプログラムコンポーネント及びシステムは、一般的には、単一のソフトウェア製品に統合でき、又は複数のソフトウェア製品にパッケージ化できることが理解されるべきである。
【００５９】
以上、主題の特定の実施について述べた。他の実施は、以下の特許請求の範囲内にある。場合によっては、請求項に列挙されるアクションを異なる順序で実行しても、望ましい結果を得ることができる。さらに、添付の図に描かれている工程は、望ましい結果を達成するために、図示する特定の順序又は連続順序を必ずしも必要としない。ある特定の実施では、マルチタスク及び並列処理が有利な場合がある。
【符号の説明】
【００６０】
１００２  コンピュータ
１００４  インタフェース
１００６  メモリ
１００８  データベース
１０１２  記憶装置
【図１】
2020529017.tif 000005
【図２】
2020529017.tif 000006
【図３】
2020529017.tif 000007
【図４】
2020529017.tif 000008
【図５】
2020529017.tif 000009
【図６】
2020529017.tif 000010
【図７】
2020529017.tif 000011
【図８】
2020529017.tif 000012
【図９】
2020529017.tif 000013
【図１０】
2020529017.tif 000014
【国際調査報告】
2020529017.tif 000015
2020529017.tif 000016
2020529017.tif 000017